(57)【要約】【課題】成形型２，３全体を均一に加熱することができる金型装置１を提供する。【解決手段】１組の成形型２，３の前面側の合わせ面同士を合わせることにより形成される成形空間Ｓに発泡性合成樹脂を充填し、前記成形型２，３の背面側を囲う壁４，７によって区画される蒸気室６，９内に蒸気を供給することにより前記成形空間Ｓ内の発泡性合成樹脂を加熱成形して発泡成形体を得る金型装置であって、前記蒸気室Ｓ内に蒸気を供給するための蒸気供給手段は、少なくとも一方の蒸気室６に対するものが、前記壁の一方側４Ａから蒸気室６の一方側に蒸気を供給すると共に、前記壁の他方側４Ｂから蒸気室６の他方側に蒸気を供給する。【選択図】図１
2011245685.tif 000002
【特許請求の範囲】
【請求項１】
１組の成形型の前面側の合わせ面同士を合わせることにより形成される成形空間に発泡性合成樹脂を充填し、前記成形型の背面側を囲う壁によって区画される蒸気室内に蒸気を供給することにより前記成形空間内の発泡性合成樹脂を加熱成形して発泡成形体を得る金型装置であって、
前記蒸気室内に蒸気を供給するための蒸気供給手段は、少なくとも一方の蒸気室に対するものが、前記壁の一方側から蒸気室の一方側に蒸気を供給すると共に、前記壁の他方側から蒸気室の他方側に蒸気を供給するように構成されることを特徴とする金型装置。
【請求項２】
前記壁は、前記蒸気室の上端を覆う上側の壁部と下端を覆う下側の壁部とを備え、前記上側の壁部に前記蒸気供給手段からの蒸気を蒸気室へ供給するための複数の孔が備えられ、前記下側の壁部に前記蒸気供給手段からの蒸気を蒸気室へ供給するための孔が備えられていることを特徴とする請求項１に記載の金型装置。
【請求項３】
前記壁は、前記蒸気室の上端を覆う上側の壁部と下端を覆う下側の壁部と左右両端を覆う両横側の壁部とを備え、前記上側の壁部に前記蒸気供給手段からの蒸気を蒸気室へ供給するための複数の孔が備えられ、前記少なくとも一方の横側の壁部の前記下側の壁部寄りに前記蒸気供給手段からの蒸気を蒸気室へ供給するための孔が備えられていることを特徴とする請求項１に記載の金型装置。
【請求項４】
前記下側の壁部に備えた孔が排水用の孔であり、該孔にドレン配管が接続され、該ドレン配管の途中に該ドレン配管を通して蒸気室内に前記蒸気供給手段からの蒸気を供給するための蒸気供給配管を接続したことを特徴とする請求項２に記載の金型装置。
【請求項５】
前記下側の壁部に備えた孔からの蒸気が、前記成形型の底面に向けて供給されることを特徴とする請求項２又は請求項４に記載の金型装置。
【発明の詳細な説明】
【技術分野】
【０００１】
本発明は、１組の成形型の前面（相手側の成形型との対向面）側の合わせ面同士を合わせることにより形成される成形空間に発泡性合成樹脂を充填し、成形型の背面側に形成される蒸気室内に蒸気を供給することにより成形空間内の発泡性合成樹脂を加熱成形して発泡成形体を得る金型装置に関する。
【背景技術】
【０００２】
従来、発泡成形体を得る金型装置として、例えば実開昭６０−６２９２８号公報に示されるものが提案されている。この金型装置により発泡成形体を得るには、雌型の成形型と雄型の成形型とを横方向（水平方向）から合わせることにより両成形型の前面同士間に形成される成形空間に発泡性合成樹脂粒子を充填し、各成形型の背面側を覆うべく設けられた蒸気室に蒸気を供給することにより成形空間内の発泡性合成樹脂粒子を加熱成形し、その後、蒸気室内に冷却水を供給することにより金型を冷却してから、両成形型を開放することで発泡成形体を成形型の外部に取り出すことになる。
【０００３】
前記蒸気室は、成形型の背面側に配置されるバックプレートと、このバックプレートの外周縁と成形型の外周縁との間を囲う矩形状のフレームとから形成され、フレームを構成する上端部に、蒸気を供給する供給管の先端を接続するための接続口が形成され、供給管からの蒸気を接続口を介して蒸気室に供給するようにしている。
【先行技術文献】
【特許文献】
【０００４】
【特許文献１】実開昭６０−６２９２８号公報（第１図、第２図参照）
【発明の概要】
【発明が解決しようとする課題】
【０００５】
上記特許文献１によれば、供給管の先端が接続口に接続されている状態では、供給管の先端が蒸気室内に突出する又は大きく突出することはない。この状態において供給管からの蒸気は、接続口近傍にある成形型の上部に直ちに供給されるものの、接続口から遠い位置にある成形型の下部に蒸気が供給されるまでに時間を要する。
【０００６】
従って、成形型の上部に供給されて温度が下がった蒸気が成形型の下部に供給されるため、成形型の上部と下部とで加熱温度差が発生することになる。この蒸気による加熱終了時には、蒸気室全体が予め設定された圧力に調節されるが、加熱時間が短いため、加熱当初の成形型の上部と下部との温度差が解消されることが無く、この温度差が次の冷却工程や離型工程まで引きずられる。
【０００７】
しかも、加熱終了後の冷却工程において、成形型の上部を冷やした冷却水までも成形型の下部に掛かってしまい、成形型の上部よりも低い温度の成形型の下部の温度が更に下がってしまう。このため、次サイクルの加熱蒸気が過度に必要となるといった悪循環を招いている。
【０００８】
尚、成形型の下部の温度が必要以上に下がることがないように、蒸気室内の冷却配管を工夫しているが、成形型の下部の温度が必要以上に下がることを確実に回避することができていないのが現状である。また、蒸気室内に蒸気を分散させるためのジャマ板部品などを設置しているものもあるが、接続口から遠い位置にある成形型下部に蒸気が供給されるまでに時間を要してしまうことになるため、前述の不都合を解消することができない。
【０００９】
上記のように成形型の上部が適正温度になるように加熱すると、成形型の下部が適正温度よりも低い温度になってしまう。その結果、冷却後の減圧冷却時において、特に成形型の下部の水分を十分に蒸発させることができず、発泡成形体の乾燥不良や加熱不良（発泡合成樹脂粒子が綺麗に伸びず外観不良）、過冷却（発泡成形体の一部が収縮すること）による原料（発泡合成樹脂粒子）の充填不良（成形型に水分が付着して充填時に発泡性合成樹脂粒子が流動不良を起こす）などの不都合を招くことがある。
【００１０】
因みに、前記加熱不良が発生しないようにするために、成形型の下部の加熱温度が適正温度になるように蒸気温度を調整すると、成形型の上部の温度が高くなり過ぎてしまう。このため、過度に加熱された成形型の上部を確実に冷却するための冷却水の量を多くしなければならないという不都合が発生することになり、改善の余地があった。
【００１１】
本発明が前述の状況に鑑み、解決しようとするところは、成形型全体を均一に加熱することができる金型装置を提供することを課題とする。
【課題を解決するための手段】
【００１２】
本発明の金型装置は、前述の課題解決のために、１組の成形型の前面側の合わせ面同士を合わせることにより形成される成形空間に発泡性合成樹脂を充填し、前記成形型の背面側を囲う壁によって区画される蒸気室内に蒸気を供給することにより前記成形空間内の発泡性合成樹脂を加熱成形して発泡成形体を得る金型装置であって、前記蒸気室内に蒸気を供給するための蒸気供給手段は、少なくとも一方の蒸気室に対するものが、前記壁の一方側から蒸気室の一方側に蒸気を供給すると共に、前記壁の他方側から蒸気室の他方側に蒸気を供給するように構成されることを特徴としている。
【００１３】
かかる構成によれば、壁の一方側から蒸気室の一方側に蒸気を直接供給できるだけでなく、壁の他方側から蒸気室の他方側に蒸気を直接供給する構成にすることによって、蒸気室の一方側に供給される蒸気の温度に対して蒸気室の他方側に供給される蒸気の温度が下がることはない。
【００１４】
また、本発明の金型装置は、前記壁が、前記蒸気室の上端を覆う上側の壁部と下端を覆う下側の壁部とを備え、前記上側の壁部に前記蒸気供給手段からの蒸気を蒸気室へ供給するための複数の孔が備えられ、前記下側の壁部に前記蒸気供給手段からの蒸気を蒸気室へ供給するための孔が備えられていてもよい。
【００１５】
上記構成にしておけば、上側の壁部に備えた複数の孔から蒸気室の上部に位置する成形型の上側部分に蒸気が供給され、下側の壁部に備えた孔から蒸気室の下部に位置する成形型の下側部分に蒸気が供給されて、金型全体を均一に加熱することができる。
【００１６】
また、本発明の金型装置は、前記壁が、前記蒸気室の上端を覆う上側の壁部と下端を覆う下側の壁部と左右両端を覆う両横側の壁部とを備え、前記上側の壁部に前記蒸気供給手段からの蒸気を蒸気室へ供給するための複数の孔が備えられ、前記少なくとも一方の横側の壁部の前記下側の壁部寄りに前記蒸気供給手段からの蒸気を蒸気室へ供給するための孔が備えられていてもよい。
【００１７】
上記構成にしておけば、上側の壁部に備えた複数の孔から蒸気室の上部に位置する成形型の上側部分に蒸気が供給され、少なくとも一方の横側の壁部の前記下側の壁部寄りに備えた孔から蒸気室の下部に位置する成形型の下側部分に蒸気が供給されて、金型全体を均一に加熱することができる。
【００１８】
また、本発明の金型装置は、前記下側の壁部に備えた孔が排水用の孔であり、該孔にドレン配管が接続され、該ドレン配管の途中に該ドレン配管を通して蒸気室内に前記蒸気供給手段からの蒸気を供給するための蒸気供給配管を接続してもよい。
【００１９】
上記構成にしておけば、下側の壁部に蒸気供給用の孔を特別に形成することが不要になるだけでなく、ドレン配管の途中に蒸気供給配管を接続するだけの簡単な改造で、金型全体を均一に加熱することができる。
【００２０】
また、本発明の金型装置は、前記下側の壁部に備えた孔からの蒸気が、前記成形型の底面に向けて供給されてもよい。
【００２１】
上記構成にしておけば、下側の壁部に備えた孔から供給される蒸気が成形型の底面に確実に供給することができ、蒸気が掛かり難い成形型の底面を確実に加熱することができる。
【発明の効果】
【００２２】
以上、本発明の金型装置によれば、蒸気室内に壁の一方側から蒸気を供給するだけでなく、壁の他方側からも蒸気を供給するための蒸気供給手段を備えることによって、蒸気室の一方側に供給される蒸気の温度と他方側に供給される蒸気の温度との温度差を無くすことで、成形型全体を均一に加熱することができる金型装置を提供することができる。
【図面の簡単な説明】
【００２３】
【図１】第一実施形態に係る金型装置であって、（ａ）は、１組の成形型を合わせた状態の縦断側面図、（ｂ）は、（ａ）で示した一方（雌型）の成形型の縦断正面図である。
【図２】第二実施形態に係る金型装置であって、（ａ）は、１組の成形型を合わせた状態の縦断側面図、（ｂ）は、（ａ）で示した一方（雌型）の成形型の縦断正面図である。
【発明を実施するための形態】
【００２４】
以下、本発明に係る金型装置の一実施形態について、図面を参酌しつつ説明する。
【００２５】
＜第一実施形態＞
図１（ａ），（ｂ）は、発泡成形体を成形するための金型装置１を示している。この金型装置１は、左右一対（１組）の金型１Ａ，１Ｂからなり、左側の金型１Ａを構成する雌型の成形型２と、右側の金型１Ｂを構成する雄型の成形型３とを前面側で合わせて発泡成形体を成形するように構成されている。図１（ａ），（ｂ）に示す金型装置１は、１組の金型１Ａ，１Ｂを左右方向（水平方向）に開閉させる横型の金型装置である。
【００２６】
一方の金型１Ａは、雌型の成形型２と、成形型２が取り付けられる第１フレーム４と、第１フレーム４の背面側の開口部４Ｋを閉じる第１バックプレート５とを備えている。また、他方の金型１Ｂは、雄型の成形型３と、成形型３が取り付けられる第２フレーム７と、第２フレーム７の背面側の開口部７Ｋを閉じる第２バックプレート８とを備えている。
【００２７】
雌型の成形型２は、一端（図１（ａ）では右端）が開口された凹部を備えた本体部２Ａと、この本体部２Ａの開口端から外周方向に突出形成された環状の鍔部２Ｂとを備えている。また、雄型の成形型３は、雌型の成形型２の凹部内に入り込んで発泡性合成樹脂（発泡性合成樹脂粒子が好ましい）を充填するための成形空間Ｓを形成するための凸部を備えた本体部３Ａと、この本体部３Ａの突出側とは反対側端から外周方向に突出する環状の鍔部３Ｂとを備えている。
【００２８】
第１フレーム４は、図１（ａ），（ｂ）に示すように、正面視が矩形状の環状枠体に形成されるとともに、成形型２の背面側に配置され、成形型２の鍔部２Ｂの外周縁を支持している。第１バックプレート５は、矩形状の板状材からなり、第１フレーム４の背面側の開口部４Ｋを閉じるように第１フレーム４の背面に取り付けられている。このように第１フレーム４と第１バックプレート５により成形型２の背面を囲うことにより一方の成形型２の蒸気室６が形成されている。尚、第１フレーム４と第１バックプレート５の２つの部材から成形型２の背面側を囲う壁を構成しているが、１つの部材又は３つ以上の部材から成形型２の背面側を囲う壁を構成してもよい。
【００２９】
また、第１フレーム４は、上下に配置された上側の壁部４Ａ及び下側の壁部４Ｂと、これら上側の壁部４Ａ及び下側の壁部４Ｂの同一端同士を連結するべく、左右横側に平行に配置された縦向きの左側の壁部４Ｃ及び右側の壁部４Ｄとを備えている。そして、上側の壁部４Ａに、蒸気室６へ蒸気を供給するための複数（図では４個）の孔４ａ，４ｂ，４ｃ，４ｄが所定間隔（図では略同一間隔）を置いて形成され、それら孔４ａ，４ｂ，４ｃ，４ｄに蒸気発生装置（図示せず）からの蒸気を案内するための蒸気供給配管１０，１１，１２，１３が接続されている。
【００３０】
第２フレーム７は、第１フレーム４と同様に、正面視が矩形状の環状枠体に形成されるとともに、成形型３の背面側に配置され、成形型３の鍔部３Ｂの外周縁を支持している。また、第２バックプレート８は、第２フレーム７の背面側の開口部７Ｋを閉じるように第２フレーム７の背面に取り付けられている。このように第２フレーム７と第２バックプレート８とで成形型３の背面を囲うことにより他方の成形型３の蒸気室９が形成されている。尚、第２フレーム７と第２バックプレート８とから成形型３の背面側を囲う壁を構成しているが、１つの部材又は３つ以上の部材から成形型３の背面側を囲う壁を構成してもよい。
【００３１】
また、第２フレーム７は、第１フレーム４と同様に、上下に配置された上側の壁部７Ａ及び下側の壁部７Ｂと、これら上側の壁部７Ａ及び下側の壁部７Ｂの同一端同士を連結するべく、左右に平行に配置された縦向きの左側の壁部（図示していない）及び右側の壁部（図示していない）とを備えている。そして、上側の壁部７Ａに、第１フレーム４と同様に、蒸気室９へ蒸気を供給するための複数（図示していないが、図１（ｂ）と同じく４個）の孔が形成されている。これら孔に、成形型３の蒸気室９へ蒸気を供給するべく、蒸気発生装置からの蒸気を案内するための蒸気供給管１４…（孔と同数の４本）がそれぞれ接続されている。
【００３２】
また、第１フレーム４の上側の壁部４Ａ及び第２フレーム７の上側の壁部７Ａには、蒸気室６，９に冷却水を供給することにより成形型２，３を冷却するための冷却水供給用の複数（図では２個）の孔（成形型３の孔は図示していないが、成形型２と同様になっている）４ｅ，４ｆを備え、その孔４ｅ，４ｆに冷却水を供給する冷却水供給管２４，２５が接続されている。そして、冷却水供給管２４，２５からの冷却水を成形型２，３に直接且つ均一に供給すべく、蒸気室６，９内には、図示していないが、冷却水供給用の複数の孔４ｅ，４ｆから適宜に分岐する複数の蒸気室内冷却水供給管が配管されている。
【００３３】
さらに、第１フレーム４の下側の壁部４Ｂ及び第２フレーム７の下側の壁部７Ｂには、複数（図では２個）の排水口４Ｈ，４Ｈを備え、これら排水口４Ｈ，４Ｈに、ドレン配管１５，１６がそれぞれ接続されている。尚、第２フレームの排水口及びドレン配管は省略し、ここでは、第１フレーム４のみについて説明する。排水口４Ｈ，４Ｈは、成形型２に接触して第１フレーム４の下端に移動した冷却水を排出するために設けられ、排水口４Ｈ，４Ｈから第１ドレン配管１５，１６を通して冷却水が外部に排出されるようになっている。そして、ドレン配管１５，１６の途中に、ドレン配管１５，１６を通して蒸気室６内に蒸気を供給するための蒸気供給配管２２，２３が接続されている。尚、第２フレーム７の下側の壁部７Ｂにも、第１フレーム４と同様に、ドレン配管に蒸気供給配管が接続されており、蒸気が供給されるようになっている。前記排水口４Ｈ，４Ｈの周囲には、排水口４Ｈ，４Ｈ側へ冷却水を案内するためのすり鉢状のテーパー面４Ｔ，４Ｔが形成されているが、水平面であってもよい。
【００３４】
ドレン配管１５，１６は、排水口４Ｈ，４Ｈに接続される第１ドレン管１５Ａ，１６Ａと、この第１ドレン管１５Ａ，１６Ａの下端にドレン弁１８，１９を介して接続される直線状の第２ドレン管１５Ｂ，１６Ｂとを備えている。第１ドレン管１５Ａ，１６Ａは、排水口４Ｈ，４Ｈに接続されて下方に真っ直ぐ延びる縦管部１５ａ，１６ａと、縦管部１５ａ，１６ａの途中部分（図では縦管部１５ａ，１６ａの下端寄り部分であるが、上下方向中央部でもよい）の外側面から横外側に向けて分岐する直線状の横管部１５ｂ，１６ｂとを備え、この横管部１５ｂ，１６ｂの遊端に蒸気弁２０，２１を介して前記蒸気供給配管２２，２３が接続されている。
【００３５】
従って、蒸気発生手段からの蒸気が、２本の蒸気供給配管１１，１２を通して内側に位置する孔４ｂ，４ｃから成形型２の本体部２Ａの上端面２ａに向けて蒸気が供給され、残りの２本の蒸気供給配管１０，１３を通して外側に位置する孔４ａ，４ｄから成形型２の本体部２Ａの左横側部２Ｌの外面及び右横側部２Ｒの外面に向けて蒸気が供給される。また、蒸気発生手段からの蒸気が、蒸気供給配管２２，２３から蒸気弁２０，２１、第１ドレン管１５Ａ，１６Ａを通して成形型２の底面２ｂに向けて蒸気が供給される。このように、４つの孔４ａ，４ｂ，４ｃ，４ｄ（壁の一方側）からの蒸気が壁の一方側と同一側となる蒸気室６の上側部分（一方側）に供給され、排水口４Ｈ，４Ｈ（壁の他方側）からの蒸気が壁の他方側と同一側となる蒸気室６の下側部分（他方側）に供給されることによって、蒸気室６内の成形型２を均一に加熱することができる。残る成形型３も同様に、第２フレーム７の上側の壁部７Ａに備えた４つの孔からの蒸気が壁の一方側と同一側となる蒸気室９の上側部分（一方側）に供給され、排水口（壁の他方側）からの蒸気が壁の他方側と同一側となる蒸気室６の下側部分（他方側）に供給されることによって、蒸気室９内の成形型３を均一に加熱することができる。尚、蒸気発生手段と、蒸気供給配管１０，１１，１２，１３，２２，２３と、孔４ａ，４ｂ．４ｃ，４ｄと、蒸気弁２０，２１と、第１ドレン管１５Ａ，１６Ａと、排水口４Ｈ，４Ｈとから、蒸気供給手段が構成されている。
【００３６】
次に、前記のように構成された金型装置を用いて発泡成形体を成形する過程を説明する。
【００３７】
まず、成形型２，３の前面側の合わせ面同士を合わせて両成形型２，３を閉じる。このとき、成形型２，３のうちの一方のみを移動させて閉じてもよいし、両方の成形型２，３を移動させて閉じてもよい。閉じることにより形成された成形空間Ｓに発泡性合成樹脂（発泡性合成樹脂粒子が好ましい）を図示しない充填装置により充填する。次に、図示していない蒸気弁を開放状態にすることにより、蒸気を蒸気室６，９に上側の孔４ａ，４ｂ，４ｃ，４ｄから蒸気室６，９の上側半分に供給すると同時に、蒸気弁２０，２１を開放状態にすることにより、蒸気を下側の排水口４Ｈ，４Ｈから蒸気室６，９の下側半分に供給して、成形型２，３を加熱する。加熱が終了すると、開放している蒸気弁２０，２１を閉じてから、図示していない冷却水供給バルブを開放状態にして蒸気室６，９に冷却水を供給し、成形型２，３を冷却する。続いて、減圧冷却工程に移り、蒸気室６，９内を減圧することにより蒸気室内の残存水分や成形された発泡成形体に付着もしくは内部に含有されている水分を蒸発させるとともに蒸発潜熱を利用して冷却を促進させて、減圧冷却工程を終了する。こののち、成形型２，３を開いて発泡成形体を成形型２，３から取り出して作業が完了する。前述のように蒸気を上側（一方側）と下側（他方側）の両方から蒸気室６，９内に供給することによって、成形型２，３を均一に加熱することができ、発泡成形体の乾燥不良や加熱不良などの不都合を招くことを有効に回避することができる。
【００３８】
＜第二実施形態＞
図２（ａ），（ｂ）は、図１（ａ），（ｂ）とは別の形態の金型装置１を示している。この金型装置１は、左右一対（１組）の金型２６，２７からなり、左側の金型２６を構成する雌型の成形型２と、右側の金型２７を構成する雄型の成形型３とを前面側で合わせて発泡成形体を成形するように構成されている。尚、金型２６，２７は、成形型２，３に下側から供給する蒸気の供給口の位置及び蒸気の供給方向が異なる以外は、図１（ａ），（ｂ）と同様であるため、同一符号を付している。
【００３９】
金型２６，２７は、前記と同様に、成形型２，３と、フレーム４，７と、バックプレート５，８とを備えている。前記一方のフレーム４は、上下に平行に配置された横向きの上側の壁部４Ａ及び下側の壁部４Ｂと、これら上側の壁部４Ａ及び下側の壁部４Ｂの同一端同士を連結するべく、左右横側に平行に配置された縦向きの左側の壁部４Ｃ及び右側の壁部４Ｄとを備えている。
【００４０】
そして、一方のフレーム４の上側の壁部４Ａに、蒸気室６へ蒸気を供給するための複数（図では４個）の孔４ａ，４ｂ，４ｃ，４ｄが所定間隔（図では略同一間隔）を置いて形成され、それら孔４ａ，４ｂ，４ｃ，４ｄに図示していない蒸気発生装置からの蒸気を案内するための上側の壁部４Ａ用の蒸気供給配管１０，１１，１２，１３が接続されている。尚、他方のフレーム７も、図１（ａ），（ｂ）に示す構成と同じである。さらに、左右の壁部４Ｃ，４Ｄの前記成形型２，３の下側の壁部４Ｂ，７Ｂ寄りに、前記蒸気発生装置からの蒸気を蒸気室６，９へ供給するための孔２８，２９（成形型３は図２（ａ）において一方の孔２８のみ図示している）が備えられ、孔２８，２９に蒸気供給管３４，３５（成形型３は図示していない）が接続されている。前記孔２８，２９は、成形型２，３の底面２ｂ，３ｂよりも少し下側の位置（成形型２，３の底面２ｂ，３ｂと同じ高さ位置でもよい）に形成されていて、成形型２の底面及び成形型３の下側部分に蒸気を確実に供給できるようにしている。尚、孔２８，２９の位置は、上下方向中央部よりも下側であれば、どの位置であってもよい。
【００４１】
従って、孔４ａ，４ｂ，４ｃ，４ｄから壁の一方側と同一側となる蒸気室６又は９内の一方側（上部側）に蒸気を供給し、孔２８，２９から壁の他方側と同一側となる蒸気室６又は９内の他方側（下部側）にも蒸気を供給することで、成形型２，３を均一に加熱することができるようにしている。孔２８，２９からの蒸気の方向は、左右方向中央部側に向かう水平方向に設定しているが、上向き又は下向きであってもよい。また、左右の両側に孔２８，２９を備えさせたが、一方側のみ備えさせてもよいし、左右の両側の孔２８，２９から蒸気を供給するだけでなく、図１（ｂ）で示した排水口４Ｈ，４Ｈからも蒸気を供給する構成を加えた構成であってもよい。
【００４２】
第１フレーム４の上側の壁部４Ａ及び第２フレーム７の上側の壁部７Ａに、蒸気室６，９に冷却水を供給することによって、成形型２，３を冷却するための冷却水供給用の複数（図では２個）の孔（成形型３の孔は図示していないが、成形型２と同様になっている）４ｅ，４ｆを備え、その孔４ｅ，４ｆに冷却水を供給する冷却水供給管２４，２５が接続されている。そして、冷却水供給管２４，２５からの冷却水を成形型２，３に直接且つ均一に供給すべく、蒸気室６，９内には、図示していないが、冷却水供給用の複数の孔４ｅ，４ｆから適宜に分岐する複数の蒸気室内冷却水供給管が配管されている。尚、成形型２，３に接触して第１フレーム４及び第２フレーム７の下端に移動した冷却水は、図２（ｂ）に示すように、第１フレーム４及び第２フレーム７の底部に備えた排水口４Ｈ，４Ｈ（第１フレーム４側のみ図示しているが、第２フレーム７も同様に備えている）を通して外部に排出される。前記排水口４Ｈ，４Ｈには、ドレン配管３０，３１がそれぞれ接続されている。ドレン配管３０，３１は、排水口４Ｈ，４Ｈに一端（上端）が接続される第１ドレン管３０Ａ，３１Ａと、この第１ドレン管３０Ａ，３１Ａの他端（下端）にドレン弁３２，３３を介して接続される第２ドレン管３０Ｂ，３１Ｂとを備えている。尚、前記排水口４Ｈ，４Ｈの周囲には、排水口４Ｈ，４Ｈ側へ冷却水を案内するためのすり鉢状のテーパー面４Ｔ，４Ｔが形成されているが、水平面であってもよい。
【００４３】
尚、本発明は、前記実施形態に限定されるものではなく、本発明の要旨を逸脱しない範囲で種々の変更が可能である。
【００４４】
前記実施形態では、２つの排水口４Ｈ，４Ｈを設けた場合を説明したが、１つ又は３つ以上設けて実施することもできる。排水口を複数設ける場合には、蒸気室内に蒸気を供給するための蒸気供給配管を全ての排水口に接続してもよいし、任意の排水口にのみ蒸気供給配管を接続してもよい。
【００４５】
また、前記実施形態では、四角形で箱型の発泡成形体を形成できる金型を示したが、円形又は楕円形あるいは多角形など、各種形状の発泡成形体を形成できる金型であってもよい。また、金型としては、１個の発泡成形体を成形できる金型の他、複数の発泡成形体を成形できる金型であってもよい。
【００４６】
また、前記実施形態では、上側の壁部４Ａに備えた孔４ａ，４ｂ，４ｃ，４ｄ（壁の一方側）からの蒸気が蒸気室６の上側部分に供給され、排水口４Ｈ，４Ｈ（壁の他方側）からの蒸気が蒸気室６の下側部分（他方側）に供給されるように構成したが、左側の壁部４Ｃ及び右側の壁部４Ｄに孔をそれぞれ形成し、左側の壁部４Ｃの孔から蒸気を蒸気室６の左側部分に供給し、右側の壁部４Ｄの孔から蒸気を蒸気室６の右側部分に供給するように構成してもよい。
【００４７】
また、前記実施形態で示した壁を構成するフレームとバックプレートを、金型装置側の部材に連結し、成形型を、フレームとバックプレートとは別の部材に連結する構成であってもよいし、フレームとバックプレートと成形型とが一体化された構成であってもよい。
【符号の説明】
【００４８】
１…金型装置、１Ａ，１Ｂ…金型、２，３…成形型、２Ａ，３Ａ…本体部、２Ｂ，３Ｂ…鍔部、２Ｌ…左横側部、２Ｒ…右横側部、２ａ…上端面、２ｂ…底面、４，７…フレーム、４Ａ〜４Ｄ，７Ａ，７Ｂ…壁部、４Ｈ…排水口、４Ｋ…開口部、４Ｔ…テーパー面、４ａ，４ｂ，４ｃ，４ｄ，４ｅ，４ｆ…孔、５，８…バックプレート、６，９…蒸気室、１０，１１，１２，１３，１４…蒸気供給配管、１５，１６…ドレン配管、１５Ａ，１６Ａ…第１ドレン管、１５Ｂ，１６Ｂ…第２ドレン管、１５ａ，１６ａ…縦管部、１５ｂ，１６ｂ…横管部、１８，１９…ドレン弁、２０，２１…蒸気弁、２２，２３…蒸気供給配管、２４，２５…冷却水供給管、２６，２７…金型、２８，２９…孔、３０，３１…ドレン配管、３０Ａ，３１Ａ…第１ドレン管、３０Ｂ，３１Ｂ…第２ドレン管、３２，３３…ドレン弁、３４，３５…蒸気供給管、Ｓ…成形空間
【図１】
2011245685.tif 000003
【図２】
2011245685.tif 000004